【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
格子点に関連付けられたドットの配置によって付加情報を表現する画像を受取る印刷制御装置であって、
前記受取った画像から、前記格子点と当該格子点に隣接する格子点との間隔を決定する決定手段と、
ユーザから指示された変倍率と前記決定手段で決定された間隔とを乗算した値が所定の範囲内に収まる場合に、前記ユーザから指示された変倍率に合わせて前記画像を変倍し、当該変倍された画像を印刷手段に印刷させるように制御し、
ユーザから指示された変倍率と前記決定手段で決定された間隔とを乗算した値が所定の範囲内に収まらない場合に、前記画像の前記印刷手段による印刷を中止又は中断するように制御する制御手段と
を有することを特徴とする印刷制御装置。
【請求項２】
ドットの配置によって付加情報を表現する画像を受取る印刷制御装置であって、
前記受取った画像から、前記ドットのサイズを決定する決定手段と、
ユーザから指示された変倍率と前記決定手段で決定されたドットのサイズとを乗算した値が所定の範囲内に収まる場合に、前記ユーザから指示された変倍率に合わせて前記画像を変倍し、当該変倍された画像を印刷手段に印刷させるように制御し、
ユーザから指示された変倍率と前記決定手段で決定されたドットのサイズとを乗算した値が所定の範囲内に収まらない場合に、前記画像の前記印刷手段による印刷を中止又は中断するように制御する制御手段と
を有することを特徴とする印刷制御装置。
【請求項３】
付加情報を表現する画像を受取る印刷制御装置であって、
前記受取った画像から付加情報の抽出ができたか判断する手段と、
前記受け取った画像に対する変倍が設定されているか判断する手段と、
前記付加情報の抽出ができたと判断し、かつ、変倍が設定されていると判断した場合に、前記受け取った画像の印刷を中止又は中断するための処理を行う手段と
を有することを特徴とする印刷制御装置。
【請求項４】
付加情報を表現する画像を受取る印刷制御装置であって、
前記受取った画像から付加情報の抽出ができたか判断する手段と、
前記受け取った画像に対する変倍が設定されているか判断する手段と、
前記受け取った画像に対するネガポジ反転が設定されているか判断する手段と、
変倍が設定されておらず、前記付加情報の抽出ができたと判断し、かつ、ネガポジ反転が設定されていると判断した場合に、前記受け取った画像の印刷を中止又は中断するための処理を行う手段と
を有することを特徴とする印刷制御装置。
【請求項５】
付加情報を表現する画像を受取る印刷制御装置であって、
前記受取った画像から付加情報の抽出ができたか判断する手段と、
前記受け取った画像に対する鏡像が設定されているか判断する手段と、
変倍が設定されておらず、前記付加情報の抽出ができたと判断し、かつ、鏡像が設定されていると判断した場合に、前記受け取った画像の印刷を中止又は中断するための処理を行う手段と
を有することを特徴とする印刷制御装置。
【請求項６】
付加情報を表現する画像を受取る印刷制御装置であって、
前記受取った画像から付加情報の抽出ができたか判断する手段と、
前記受け取った画像に対するエリア指定が設定されているか判断する手段と、
変倍が設定されておらず、前記付加情報の抽出ができたと判断し、かつ、エリア指定が設定されていると判断した場合に、前記受け取った画像の印刷を中止又は中断するための処理を行う手段と
を有することを特徴とする印刷制御装置。
【請求項７】
前記付加情報は、条件付き複写制限情報であることを特徴とする請求項１乃至６の何れか１項に記載の印刷制御装置。
【請求項８】
受取った画像から条件付き複写制限情報の抽出ができたか判断する手段と、
前記受け取った画像に対する変倍が設定されているか判断する手段と、
前記条件付き複写制限情報の抽出ができたと判断し、かつ、変倍が設定されていないと判断した場合には、条件への合致を条件として前記受け取った画像の印刷を行い、
前記条件付き複写制限情報の抽出ができたと判断し、かつ、変倍が設定されていると判断した場合には、前記条件付き複写制限情報の抽出ができたと判断し、かつ、変倍が設定されていないと判断した場合と異なり、前記受け取った画像の印刷を中止又は中断するための処理を行う手段と
を有することを特徴とする印刷制御装置。
【請求項９】
格子点に関連付けられたドットの配置によって付加情報を表現する画像を受取る印刷制御装置における印刷制御方法であって、
前記受取った画像から、前記格子点と当該格子点に隣接する格子点との間隔を決定する決定ステップと、
ユーザから指示された変倍率と前記決定ステップで決定された間隔とを乗算した値が所定の範囲内に収まる場合に、前記ユーザから指示された変倍率に合わせて前記画像を変倍し、当該変倍された画像を印刷ステップに印刷させるように制御し、
ユーザから指示された変倍率と前記決定ステップで決定された間隔とを乗算した値が所定の範囲内に収まらない場合に、前記画像の前記印刷ステップによる印刷を中止又は中断するように制御する制御ステップと
を有することを特徴とする印刷制御方法。
【請求項１０】
ドットの配置によって付加情報を表現する画像を受取る印刷制御装置における印刷制御方法であって、
前記受取った画像から、前記ドットのサイズを決定する決定ステップと、
ユーザから指示された変倍率と前記決定ステップで決定されたドットのサイズとを乗算した値が所定の範囲内に収まる場合に、前記ユーザから指示された変倍率に合わせて前記画像を変倍し、当該変倍された画像を印刷ステップに印刷させるように制御し、
ユーザから指示された変倍率と前記決定ステップで決定されたドットのサイズとを乗算した値が所定の範囲内に収まらない場合に、前記画像の前記印刷ステップによる印刷を中止又は中断するように制御する制御ステップと
を有することを特徴とする印刷制御方法。
【請求項１１】
付加情報を表現する画像を受取る印刷制御装置における印刷制御方法であって、
前記受取った画像から付加情報の抽出ができたか判断するステップと、
前記受け取った画像に対する変倍が設定されているか判断するステップと、
前記付加情報の抽出ができたと判断し、かつ、変倍が設定されていると判断した場合に、前記受け取った画像の印刷を中止又は中断するための処理を行うステップと
を有することを特徴とする印刷制御方法。
【請求項１２】
付加情報を表現する画像を受取る印刷制御装置における印刷制御方法であって、
前記受取った画像から付加情報の抽出ができたか判断するステップと、
前記受け取った画像に対するネガポジ反転が設定されているか判断するステップと、
変倍が設定されておらず、前記付加情報の抽出ができたと判断し、かつ、ネガポジ反転が設定されていると判断した場合に、前記受け取った画像の印刷を中止又は中断するための処理を行うステップと
を有することを特徴とする印刷制御方法。
【請求項１３】
付加情報を表現する画像を受取る印刷制御装置における印刷制御方法であって、
前記受取った画像から付加情報の抽出ができたか判断するステップと、
前記受け取った画像に対する鏡像が設定されているか判断するステップと、
変倍が設定されておらず、前記付加情報の抽出ができたと判断し、かつ、鏡像が設定されていると判断した場合に、前記受け取った画像の印刷を中止又は中断するための処理を行うステップと
を有することを特徴とする印刷制御方法。
【請求項１４】
付加情報を表現する画像を受取る印刷制御装置における印刷制御方法であって、
前記受取った画像から付加情報の抽出ができたか判断するステップと、
前記受け取った画像に対するエリア指定が設定されているか判断するステップと、
変倍が設定されておらず、前記付加情報の抽出ができたと判断し、かつ、エリア指定が設定されていると判断した場合に、前記受け取った画像の印刷を中止又は中断するための処理を行うステップと
を有することを特徴とする印刷制御方法。
【請求項１５】
前記付加情報は、条件付き複写制限情報であることを特徴とする請求項９乃至１４の何れか１項に記載の印刷制御方法。
【請求項１６】
受取った画像から条件付き複写制限情報の抽出ができたか判断するステップと、
前記受け取った画像に対する変倍が設定されているか判断するステップと、
前記条件付き複写制限情報の抽出ができたと判断し、かつ、変倍が設定されていないと判断した場合には、条件への合致を条件として前記受け取った画像の印刷を行い、
前記条件付き複写制限情報の抽出ができたと判断し、かつ、変倍が設定されていると判断した場合には、
前記条件付き複写制限情報の抽出ができたと判断し、かつ、変倍が設定されていないと判断した場合と異なり、前記受け取った画像の印刷を中止又は中断するための処理を行うステップと
を有することを特徴とする印刷制御における印刷制御方法。
【請求項１７】
コンピュータを請求項１〜８のいずれか１項に記載の印刷制御装置として機能させるためのプログラム。